【手続補正書】
【提出日】平成21年8月10日(2009.8.10)
【手続補正１】
【補正対象書類名】特許請求の範囲
【補正対象項目名】全文
【補正方法】変更
【補正の内容】
【特許請求の範囲】
【請求項１】
プロジェクタとの間で通信可能な通信部と、前記通信部を制御する制御部とを備えたカメラであって、
前記制御部は、前記通信部を介して制御信号を前記プロジェクタに送信して当該プロジェクタに対して投写表示に関するパラメータを調整させるパラメータ調整処理を実行するカメラ。
【請求項２】
画像データを記録する記録部を備え、
前記制御部は、前記記録部に記録されている前記画像データの中から選択された当該画像データを前記通信部を介して前記プロジェクタに送信する請求項１記載のカメラ。
【請求項３】
前記画像データに基づく画像を表示する表示部を備え、
前記制御部は、前記パラメータ調整処理において前記パラメータの調整結果を反映した状態で前記画像を前記表示部に表示させる請求項２記載のカメラ。
【請求項４】
前記プロジェクタによって投写表示された投写画像を撮像した撮像画像を表示する表示部を備え、
前記制御部は、前記パラメータ調整処理において前記撮像画像を前記表示部に表示させる請求項２記載のカメラ。
【請求項５】
前記制御部は、前記通信部が前記プロジェクタとの間で通信可能な状態となったときに、前記パラメータを調整するための調整用画像の前記プロジェクタによる投写表示を禁止させる請求項１から４のいずれかに記載のカメラ。
【請求項６】
請求項１から５のいずれかに記載のカメラと、当該カメラとの間で通信可能なプロジェクタとを備えている画像表示システム。
【請求項７】
プロジェクタに対して画像の投写表示に関するパラメータを調整させるパラメータ調整方法であって、
前記プロジェクタとの間で通信可能な通信部を備えたカメラから当該通信部を介して制御信号を当該プロジェクタに送信して当該プロジェクタに対して前記パラメータを調整させるパラメータ調整方法。
【手続補正２】
【補正対象書類名】明細書
【補正対象項目名】発明の名称
【補正方法】変更
【補正の内容】
【発明の名称】カメラ、画像表示システムおよびパラメータ調整方法
【手続補正３】
【補正対象書類名】明細書
【補正対象項目名】０００５
【補正方法】変更
【補正の内容】
【０００５】
上記目的を達成すべく本発明に係るカメラは、プロジェクタとの間で通信可能な通信部と、前記通信部を制御する制御部とを備え、前記制御部は、前記通信部を介して制御信号を前記プロジェクタに送信して当該プロジェクタに対して投写表示に関するパラメータを調整させるパラメータ調整処理を実行する。
【手続補正４】
【補正対象書類名】明細書
【補正対象項目名】０００６
【補正方法】変更
【補正の内容】
【０００６】
また、本発明に係るパラメータ調整方法は、プロジェクタに対して画像の投写表示に関するパラメータを調整させるパラメータ調整方法であって、前記プロジェクタとの間で通信可能な通信部を備えたカメラから当該通信部を介して制御信号を当該プロジェクタに送信して当該プロジェクタに対して前記パラメータを調整させる。
【手続補正５】
【補正対象書類名】明細書
【補正対象項目名】０００７
【補正方法】変更
【補正の内容】
【０００７】
このカメラおよびパラメータ調整方法によれば、カメラから通信部を介して制御信号をプロジェクタに送信してプロジェクタに対してパラメータを調整させることにより、比較的操作する機会の少ないプロジェクタの操作部やプロジェクタ専用のリモコンを用いることなく、使い慣れたカメラを操作することでプロジェクタに対するパラメータの調整を行うことができる。したがって、このカメラおよびパラメータ調整方法によれば、プロジェクタに対するパラメータの調整を十分正確かつ十分容易に行うことができる。
【手続補正６】
【補正対象書類名】明細書
【補正対象項目名】０００８
【補正方法】変更
【補正の内容】
【０００８】
また、本発明に係るカメラは、画像データを記録する記録部を備え、前記制御部が、前記記録部に記録されている前記画像データの中から選択された当該画像データを前記通信部を介して前記プロジェクタに送信する。
【手続補正７】
【補正対象書類名】明細書
【補正対象項目名】０００９
【補正方法】変更
【補正の内容】
【０００９】
このカメラによれば、記録部に記録されている画像データの中から選択された画像データを通信部を介してプロジェクタに送信することにより、カメラを用いて撮像して記録した画像データに基づく画像をプロジェクタを用いて投写表示させる際に、画像データの選択操作に引き続いてパラメータの調整操作を行うことができる。このため、例えば、画像データ（画像）を切り替えたときに、パラメータの調整が必要となったとしても、その状況に即座に対応することができる。
【手続補正８】
【補正対象書類名】明細書
【補正対象項目名】００１０
【補正方法】変更
【補正の内容】
【００１０】
また、本発明に係るカメラは、前記画像データに基づく画像を表示する表示部を備え、前記制御部が、前記パラメータ調整処理において前記パラメータの調整結果を反映した状態で前記画像を前記表示部に表示させる。
【手続補正９】
【補正対象書類名】明細書
【補正対象項目名】００１１
【補正方法】変更
【補正の内容】
【００１１】
このカメラによれば、パラメータの調整結果を反映した状態で画像を表示部に表示させることにより、プロジェクタによってスクリーンに投写表示された画像を視認することなく、表示部に表示されている画像を視認することでパラメータの変化を確認することができる。したがって、例えば、スクリーンに背を向けた姿勢のままでパラメータを調整することができるため、このような姿勢での使用が想定されるプレゼンテーション等における使用の際の利便性を十分に向上させることができる。
【手続補正１０】
【補正対象書類名】明細書
【補正対象項目名】００１２
【補正方法】変更
【補正の内容】
【００１２】
また、本発明に係るカメラは、前記プロジェクタによって投写表示された投写画像を撮像した撮像画像を表示する表示部を備え、前記制御部が、前記パラメータ調整処理において前記撮像画像を前記表示部に表示させる。
【手続補正１１】
【補正対象書類名】明細書
【補正対象項目名】００１３
【補正方法】変更
【補正の内容】
【００１３】
このカメラによれば、パラメータを調整する際に撮像画像を表示部に表示させることにより、例えば、フォーカスのずれや台形歪みのように、投写光を投写して画像を投写表示することに起因して発生するプロジェクタに特有のパラメータを調整する場合においても、プロジェクタによって投写表示された画像を視認することなく、表示部に表示されている撮像画像を視認することでこれらのパラメータの変化を確認することができる。
【手続補正１２】
【補正対象書類名】明細書
【補正対象項目名】００１４
【補正方法】変更
【補正の内容】
【００１４】
また、本発明に係るカメラは、前記制御部が、前記通信部が前記プロジェクタとの間で通信可能な状態となったときに、前記パラメータを調整するための調整用画像の前記プロジェクタによる投写表示を禁止させる。
【手続補正１３】
【補正対象書類名】明細書
【補正対象項目名】００１５
【補正方法】変更
【補正の内容】
【００１５】
このカメラによれば、通信部とプロジェクタとが通信可能な状態となったときに、パラメータを調整するための調整用画像のプロジェクタによる投写表示を禁止することにより、例えば、プレゼンテーションにおいてプロジェクタを用いて画像を投写表示させている最中にパラメータの調整が必要となったとしても、調整用画像を投写表示させることなくパラメータの調整を行うことができる。このため、調整用画像の表示によって画像が隠されたり、調整用画像の表示によってその場の雰囲気が害されたりする不都合を確実に解消することができる。
【手続補正１４】
【補正対象書類名】明細書
【補正対象項目名】００１６
【補正方法】変更
【補正の内容】
【００１６】
また、本発明に係る画像表示システムは、上記のカメラと、当該カメラとの間で通信可能なプロジェクタとを備えている。
【手続補正１５】
【補正対象書類名】明細書
【補正対象項目名】００１７
【補正方法】変更
【補正の内容】
【００１７】
この画像表示システムによれば、上記のカメラとプロジェクタとを備えたことにより、上記のカメラが有する効果と同様の効果を実現することができる。